(57)【要約】【課題】設置面積を小さくし、掃除の際に本体の転倒を防止することができる空気清浄機能付き塵埃収集装置を提供することを課題とする。【解決手段】  本体１内に掃除機能４と空気清浄機能３とを有する空気清浄機能付き塵埃収集装置１であって、前記掃除機能４は塵埃を吸引する電動送風機１０と、該電動送風機１０によって吸引された塵埃を集塵する集塵袋１１とから構成され、前記空気清浄機能３は室内の空気を吸引する遠心送風機２７と、該遠心送風機２７によって吸引された空気を浄化するＨＥＰＡフィルター２８とから構成され、前記本体２内の上方に前記空気清浄機能３を、前記本体２内の下方に前記掃除機能４を夫々配置した。【選択図】  図４
2007190234.tif 000002
【特許請求の範囲】
【請求項１】
本体内に掃除機能と空気清浄機能とを有する空気清浄機能付き塵埃収集装置であって、
前記本体内の上方に前記空気清浄機能を、前記本体内の下方に前記掃除機能を夫々配置したことを特長とする空気清浄機能付き塵埃収集装置。
【請求項２】
前記掃除機能及び前記空気清浄機能の排気風を排出する排気口を前記本体の上方に形成したことを特徴とする請求項１記載の空気清浄機機能付き塵埃収集装置。
【請求項３】
前記掃除機能は塵埃を吸引する掃除用送風機と、該掃除用送風機によって吸引された塵埃を集塵する集塵部とから構成され、前記掃除用送風機の吸引口を前記本体の底面側に向けて配置し、前記集塵部を前記掃除用送風機と前記本体底面との間に設けたことを特徴とする請求項１記載の空気清浄機能付き塵埃収集装置。
【請求項４】
前記掃除機能は塵埃を吸引する掃除用送風機と、該掃除用送風機によって吸引された塵埃を集塵する集塵部とから構成され、前記掃除用送風機と前記集塵部とを前後方向に配置したことを特徴とする請求項１記載の空気清浄機能付き塵埃収集装置。
【請求項５】
前記本体を前後方向に比べ左右方向が短く形成された略矩形状の箱体とし、前記本体の短手方向の前面側に塵埃吸引用の吸気口を設けたことを特徴とする請求項１記載の塵埃収集装置。
【請求項６】
前記本体を前後方向に比べ左右方向が短く形成された略矩形状の箱体とし、前記本体の長手方向の一側面側に室内空気吸引用の吸気口を設けたことを特徴とする請求項１記載の塵埃収集装置。
【発明の詳細な説明】
【技術分野】
【０００１】
本発明は、掃除機能と空気清浄機能とを備える空気清浄機能付き塵埃収集装置に関する。
【背景技術】
【０００２】
従来から電気掃除機に空気清浄機能を持たせたがものが知られている。（例えば、特許文献１参照）。しかしながら、この種の構成においては、空気清浄機及び電気掃除機を別々の本体で構成しているため、設置面積が広くなり狭い空間には設置できないという欠点があった。また、電気掃除機の塵埃吸引口が本体の上方にあるため、ホースを引っ張った時に本体が転倒する恐れがあった。
【特許文献１】特開平５−１４６３８０号公報（Ａ４７Ｌ  ９／００）
【発明の開示】
【発明が解決しようとする課題】
【０００３】
本発明は上記欠点に鑑みなされたもので、設置面積を小さくし、掃除の際に本体の転倒を防止することができる空気清浄機能付き塵埃収集装置を提供することを課題とする。
【課題を解決するための手段】
【０００４】
上記課題を解決するための手段は、本体内に掃除機能と空気清浄機能とを有する空気清浄機能付き塵埃収集装置であって、前記本体内の上方に前記空気清浄機能を、前記本体内の下方に前記掃除機能を夫々配置したことを特長とする。
【０００５】
また、前記掃除機能及び前記空気清浄機能の排気風を排出する排気口を前記本体の上方に形成してもよい。
【０００６】
また、前記掃除機能は塵埃を吸引する掃除用送風機と、該掃除用送風機によって吸引された塵埃を集塵する集塵部とから構成され、前記掃除用送風機の吸引口を前記本体の底面側に向けて配置し、前記集塵部を前記掃除用送風機と前記本体底面との間に設けている。
【０００７】
また、前記掃除機能は塵埃を吸引する掃除用送風機と、該掃除用送風機によって吸引された塵埃を集塵する集塵部とから構成され、前記掃除用送風機と前記集塵部とを前後方向に配置してもよい。
【０００８】
また、前記本体を前後方向に比べ左右方向が短く形成された略矩形状の箱体とし、前記本体の短手方向の前面側に塵埃吸引用の吸気口を設けている。
【０００９】
また、前記本体を前後方向に比べ左右方向が短く形成された略矩形状の箱体とし、前記本体の長手方向の一側面側に室内空気吸引用の吸気口を設けている。
【発明の効果】
【００１０】
本発明の請求項１によれば、本体内の上方に空気清浄機能を、前記本体内の下方に掃除機能を夫々配置したので、本体を１つにすることで横幅が短くなり設置面積を小さくでき、インテリア性を向上させることができる。また、掃除機能が前記本体の下方にあるので、掃除の際にホースで引っ張っても前記本体の転倒を抑制することができる等の効果を奏する。
【００１１】
本発明の請求項２によれば、排気口が前記本体の上方に形成されているので、排気風によって床面上に付着している塵埃の舞い上がりを防止することができる等の効果を奏する。
【００１２】
本発明の請求項３によれば、空気とともに吸引された塵埃の多くは自重で前記集塵部の下側に堆積するので、前記掃除用送風機の吸引口が塵埃で塞がれることがなくなり、吸い込み空気流路を確保することができる等の効果を奏する。
【００１３】
本発明の請求項４によれば、前記掃除用送風機と前記集塵部とを前後方向に配置することで、前記本体の高さを低くすることができ、インテリア性をより向上させることができる等の効果を奏する。
【００１４】
本発明の請求項５によれば、前記本体の横幅をより短くできるので、狭い隙間にも設置することができる。また、狭い隙間に設置した状態でも塵埃吸引用の吸気口が前記本体の前面側に位置しているため、掃除の際の使い勝手を向上させることができる等の効果を奏する。
【００１５】
本発明の請求項６によれば、前記本体の横幅をより短くできるので、狭い隙間にも設置することができる。また、室内空気吸引用の吸気口を前記本体の長手方向の一側面側に設けることで、吸気面積を広く取ることができ、空気清浄効率を高めることができる等の効果を奏する。
【発明を実施するための最良の形態】
【００１６】
本発明の第１の実施形態を図１乃至図５に基づいて以下に説明する。
【００１７】
図１は、本願発明の第１の実施形態における空気清浄機能付き塵埃収集装置を前方（正面）からみた前面外観図である。図２は、同空気清浄機能付き塵埃収集装置を側面からみた側面図である。図３は、同空気清浄機能付き塵埃収集装置を上面からみた上面図である。図４は、同空気清浄機能付き塵埃収集装置における掃除機能動作時の側面断面図である。図５は、同空気清浄機能付き塵埃収集装置における空気清浄機能動作時の側面断面図である。
【００１８】
１は、略矩形状の本体２に内蔵された後述する空気清浄機能３及び掃除機能４を有する空気清浄機能付き塵埃収集装置である。
【００１９】
５は、前記本体２を上部室６と下部室７とに区画する仕切板で、該仕切板７の端部には前記上部室６と前記下部室７とを連通する連通口８が形成されている。
【００２０】
９は、前記下部室７に設けられた掃除機能で、該掃除機能９は、掃除用の電動送風機１０と、該電動送風機１０の吸引よって吸い込まれた塵埃を集塵する集塵袋１１とから構成されている。
【００２１】
１２は、前記電動送風機１０が取り付けられる取付板で、該取付板１２によって前記下部室７が２つの空間に区画され、上方の空間が前記電動送風機１０を収納するための電動送風機収納室１３、下方の空間が前記集塵袋１１を収納するための集塵室１４となっている。前記取付板１２には円形の凹部１５が形成されており、該凹部１５に前記電動送風機１０のファンカバー１６を挿入し、吸引口１７が前記本体２の底面１８に向くようにして前記電動送風機１０が取り付けられている。
【００２２】
１９は、前記凹部１５に配設された樹脂状のシールパッキンで、前記電動送風機１０によって吸引された空気をシールするとともに、前記電動送風機１０の防振の役目を果たしている。
【００２３】
２０は、前記凹部１５の底面に格子状に形成され、前記電動送風機１０の吸引口１７と前記集塵室１４とを連通する格子孔である。
【００２４】
２１は、前記本体２の前面下方に形成され、前記集塵室１４及び前記電動送風機１０の吸引口１７と連通する塵埃吸引用の吸気口であり、該塵埃吸引用の吸気口２１の前記集塵室１４側にはクランプ２２が設けられ、該クランプ２２によって前記集塵袋１１の台紙２３を保持し、前記塵埃吸引用の吸気口２１から吸引された塵埃が前記集塵袋１１に集塵できるようになっている。図４に示すように前記電動送風機１０の吸引口１７を前記本体２の底面１８側に向けて配置し、前記集塵袋１１を前記電動送風機１０と前記底面１８との間に収納しているので、吸引された塵埃の多くは自重で前記集塵袋１１に堆積するため、前記吸引口１７が塵埃で塞がれることがなくなり、吸い込み空気流路を確保できる構成となっている。
【００２５】
２４は、一端が前記塵埃吸引用の吸気口２１に接続される可撓性のホースで、該ホース２４の他端には手元グリップ、延長管、床用吸込具（いずれも図示しない）が接続されており、前記本体２を設置した状態でも遠い位置の塵埃を吸引できるようになっている。この掃除の際に前記ホース２４で前記本体２を引っ張っても前記掃除機能４及び前記塵埃吸引用の吸気口２１が前記本体２の下方にあるので、前記本体２が転倒し難い構成となっている。
【００２６】
３は、前記上部室６に設けられた空気清浄機能で、該空気清浄機能３は、モータ２５及び羽根２６からなる空気清浄用の遠心送風機２７と、該遠心送風機２７の上流側に配置され、前記遠心送風機２７の吸引よって吸い込まれた室内空気を浄化するＨＥＰＡフィルター２８とから構成されている。この室内空気は、前記ＨＥＰＡフィルター２８と対向する面、即ち前記本体２の前面上方に形成された室内空気吸引用の吸気口２９から取り入れられるようになっている。
【００２７】
３０は、前記羽根２６の外周を囲繞する渦巻型のファンケーシングで、中央に吸気孔３１、上方に排気室３２と連通する吐出口３３が形成されている。
【００２８】
３４は、前記室内空気吸引用の吸気口２９を開閉するシャッターであり、前記空気清浄機能３が停止して前記掃除機能４が動作するときは、前記室内空気吸引用の吸気口２９を閉じ、前記掃除機能４が停止して前記空気清浄機能３が動作するときは、前記室内空気吸引用の吸気口２９を開くように、図示しない制御手段によって自動的に開閉動作される。本実施例では、前記シャッター３４を自動的に開閉しているが、手動で開閉するようにしても構わない。
【００２９】
３５、３６は、前記本体２の上面及び前面上方に形成された２つの排気口で、前記電動送風機１０及び前記遠心送風機２７から排出される排気風が前記本体２外に排気される。前記排気口３５、３６が前記本体２の上方に形成されているため、排気風によって床面上に付着している塵埃の舞い上がりを防止できるようになっている。
【００３０】
上記の空気清浄機能付き集塵収集装置について説明する。
【００３１】
前記本体２に設けられた操作部３７の空気清浄機スイッチ３８をＯＮすると、前記シャッター３４が前記室内吸引用の吸気口２９を開き、前記遠心送風機２７が駆動し前記室内吸引用の吸気口２９から室内の汚れた空気が吸引される。汚れた空気は、前記ＨＥＰＡフィルター２８で浄化され、前記排気室３２を介して前記排気口３５、３６から室内に排出される。本実施形態では、前記ホース２４を前記塵埃吸引用の吸気口２１から取り外した状態で空気清浄を行っているが、前記ホース２４を前記塵埃吸引用の吸気口２１に接続したままでも構わない。
【００３２】
前記掃除機能４を動作させたい場合は、前記ホース２４を前記塵埃吸引用の吸気口２１に接続し、前記操作部３７の掃除機スイッチ３９をＯＮすると、前記シャッター３４が前記室内吸引用の吸気口２９を閉じ、前記遠心送風機２７は停止する。そして、前記電動送風機１０が駆動し、前記ホース２４を介して前記塵埃吸引用の吸気口２１から塵埃を含んだ空気が吸引される。塵埃は前記集塵袋１１で集塵され、空気は前記吸引口１７、前記連通口８を通過した後、前記ＨＥＰＡフィルター２８を通過する。この前記ＨＥＰＡフィルター２８を通過する際、前記集塵袋１１で捕捉できなかった微細な塵埃を空気清浄用の前記ＨＥＰＡフィルター２８で捕捉することができ、前記電動送風機１０から排気される排気風も浄化し、きれいな空気が前記排気口３６、３７から室内に排出される。よって、室内空気を汚すことなく掃除することができるとともに、空気清浄用フィルターを共用できるので、部品点数が少なくなりコスト面での軽減を図ることができる。動作を終了する場合は、切スイッチ４０を押すと前記空気清浄機能３及び前記掃除機能４は停止する。
【００３３】
また、前記空気清浄機能３及び前記掃除機能４の２つの機能を１つの本体に内蔵したので、前記本体２の横幅が短くなることから設置面積は小さくても設置可能であり、部屋の狭い空間に設置することができ、インテリア性を向上させることができる。
【００３４】
尚、本実施形態では、室内空気の浄化をＨＥＰＡフィルターで行っているが、電気集塵装置でも構わない。また、塵埃の集塵部として集塵袋を用いたが、空気を旋回させて空気と塵埃とに分離するサイクロン容器或いは単なる容器を用いても構わない。
【００３５】
次に、本発明の第２の実施形態を図６乃至図１０に基づいて以下に説明する。
【００３６】
図６は、本願発明の第２の実施形態における空気清浄機能付き塵埃収集装置を前方（正面）からみた前面外観図である。図７は、同空気清浄機能付き塵埃収集装置を側面からみた側面図である。図８は、同空気清浄機能付き塵埃収集装置を上面からみた上面図である。図９は、同空気清浄機能付き塵埃収集装置における掃除機能及び空気清浄機能動作時の前方（正面）断面図である。図１０は、同空気清浄機能付き塵埃収集装置における空気清浄機能及び空気清浄機能動作時の側面断面図である。尚、前述した第１の実施形態と同一構成については同一番号を付与して説明を省略する。
【００３７】
１００は、本発明の第２の実施形態の空気清浄機能付き塵埃集塵装置である。
【００３８】
１０１は、前後方向に比べ左右方向が短く略矩形状に形成された前記空気清浄機能付き塵埃集塵装置１００の本体で、図６乃至図８に示すように前記塵埃吸引用の吸気口２１を前記本体１０１の短手方向の前面下方側に形成している。前記本体１０１を前後方向に比べ左右方向が短い略矩形状の箱体とすることで、前記本体１０１の横幅を短くすることができ、設置面積は小さくても設置可能な構成としている。また、設置状態において、部屋の狭い空間に設置することができ、インテリア性を更に向上させている。また、前記塵埃吸引用の吸気口２１を前記本体１０１の前面下方側に設けることで、前記ホース２４で引っ張っても前記本体１０１の転倒を防止できるとともに、前記ホース２４の取り扱いが容易である。
【００３９】
１０２は、前記本体１０１を上部室１０３と下部室１０４とに区画する仕切板で、前記上部室１０３には、空気清浄用の前記遠心送風機２７及び前記ＨＥＰＡフィルター２８が収納され、前記下部室１０４には、前記電動送風機１０と前記集塵袋１１が収納されている。前記電動送風機１０は前記集塵袋１１の後方に配置されており、このよう配置とすることにより、前記本体１０１の高さを低くすることができ、収納性及びインテリア性を向上させた構成となっている。また、前記空気清浄機能３及び前記掃除機能４の２つの機能を１つの本体に内蔵しているため、前記本体１０１の横幅が短くなることから設置面積は小さくても設置可能であり、部屋の狭い空間に設置することができ、インテリア性を更に向上させている。
【００４０】
１０５は、前記本体１０１の長手方向の右側側面上方に形成された室内空気吸引用の吸気口であり、前記ＨＥＰＡフィルター２８と対向する位置に形成されている。前記室内空気吸引用の吸気口１０５を前記本体１０１の長手方向の側面に設けることで、前記本体１０１の短手方向の前面に比べ吸気面積を大きくすることができるため、空気清浄効率を高めることができる構成となっている。
【００４１】
１０６は、前記仕切板１０２に形成され、前記下部室１０４と前記上部室１０３とを連通する連通口で、前記電動送風機１０の排気風は、図９に示すような掃除用排気流路Ａを通って排出される。具体的には、前記連通口１０６を通過したあと前記モータ２５を冷却し、前記排気室３２を介して前記本体１０１の上面後方及び前記室内空気吸引用の吸気口１０５の上方に夫々形成された掃除用排気口１０７から室内に排出されるようになっている。
【００４２】
Ｂは、前記ファンケーシング３０によって前記掃除用排気流路Ａとは別に構成された空気清浄用流路で、図９に示すように前記室内空気吸引用の吸気口１０５から吸引された空気は、前記ＨＥＰＡフィルター２８、前記羽根２６、前記吐出口３３を通過したあと、前記排気室３２を介して前記本体１０１の上面前方及び前記室内空気吸引用の吸気口１０５の上方にそれぞれ形成された空気清浄用排気口１０８、１０９から室内に排出されるようになっている。
【００４３】
本第２の実施形態では、前記掃除用排気流路Ａと前記空気清浄用流路Ｂとを別々に構成しているので、前記掃除機能４及び前記空気清浄機能３の同時運転が可能である。また第１の実施形態同様、前記掃除用排気口１０７及び前記空気清浄用排気口１０８、１０９が前記本体１０１の上方に形成されているため、排気風によって床面上に付着している塵埃の舞い上がりを防止することができるようになっている。
【００４４】
上記の第２の実施形態における空気清浄機能付き集塵収集装置について説明する。
【００４５】
まず、前記空気清浄機能３を単独で動作させたい場合は、前記本体１０１に設けられた操作部１１０の空気清浄スイッチ１１１をＯＮすると、前記遠心送風機２７が駆動し前記室内吸引用の吸気口１０５から室内の汚れた空気が吸引される。汚れた空気は、前記ＨＥＰＡフィルター２８で浄化され、前記空気清浄用排気口１０８、１０９から室内に排出される。
【００４６】
次に、前記掃除機能４を動作させたい場合は、前記操作部１１０の掃除機能スイッチ１１２をＯＮすると、前記遠心送風機２７は停止する。そして、前記電動送風機１０が駆動し、前記ホース２４を介して前記塵埃吸引用の吸気口２１から塵埃を含んだ空気が吸引される。塵埃は前記集塵袋１１で集塵され、空気は前記吸引口１７、前記連通口１０６を通過し前記モータ２５を冷却しながら前記掃除用排気口１０７から室内に排出される。
【００４７】
前記掃除機能４及び前記空気清浄機能３を同時に動作させた場合は、前記操作部１１２の併用スイッチ１１３をＯＮすると、前述した２つの機能が同時に動作し、掃除も空気清浄も同時に行うことができる。動作を終了する場合は、切スイッチ１１４を押すと前記空気清浄機能３及び前記掃除機能４は停止する。
【００４８】
また、前記空気清浄機能３及び前記掃除機能４の２つの機能を１つの本体に内蔵し、更に前記本体１０１を前後方向に比べ左右方向が短い略矩形状の箱体とすることで、前記本体１０１の横幅をより短くすることができため、部屋の狭い空間でも設置することができ、インテリア性を向上させることができる。そして、前記塵埃吸引用の吸気口２１を前記本体１０１の前面下方側に設けることで、前記ホース２４で引っ張っても前記本体１０１の転倒を防止できるとともに、前記ホース２４の取り扱いが非常に簡単であり使い勝手を向上させることができる。
【００４９】
尚、本実施形態では、室内空気の浄化をＨＥＰＡフィルターで行っているが、電気集塵装置でも構わない。また、塵埃の集塵部として集塵袋を用いたが、空気を旋回させて空気と塵埃とに分離するサイクロン容器或いは単なる容器を用いても構わない。更に室内空気吸引用の吸気口を本体側面以外、例えば本体の前面或いは上面に設けておけば側面の吸気口が塞がれても室内の空気を吸引することができるため、どのような設置状態でも空気清浄機能を維持することができる。
【図面の簡単な説明】
【００５０】
【図１】図１は、本願発明の第１の実施形態における空気清浄機能付き塵埃収集装置を前方（正面）からみた前面外観図である。
【図２】図２は、同空気清浄機能付き塵埃収集装置を側面からみた側面図である。
【図３】図３は、同空気清浄機能付き塵埃収集装置を上面からみた上面図である。
【図４】図４は、同空気清浄機能付き塵埃収集装置における掃除機能動作時の側面断面図である。
【図５】図５は、同空気清浄機能付き塵埃収集装置における空気清浄機能動作時の側面断面図である。
【図６】図６は、本願発明の第２の実施形態における空気清浄機能付き塵埃収集装置を前方（正面）からみた前面外観図である。
【図７】図７は、同空気清浄機能付き塵埃収集装置を側面からみた側面図である。
【図８】図８は、同空気清浄機能付き塵埃収集装置を上面からみた上面図である。
【図９】図９は、同空気清浄機能付き塵埃収集装置における掃除機能及び空気清浄機能動作時の前方（正面）断面図である。
【図１０】図１０は、同空気清浄機能付き塵埃収集装置における空気清浄機能及び空気清浄機能動作時の側面断面図である。
【符号の説明】
【００５１】
１、１００        空気清浄機能付き塵埃収集装置
２、１０１        本体
４        掃除機能
３        空気清浄機能
６、１０３        上部室
７、１０４        下部室
【図１】
2007190234.tif 000003
【図２】
2007190234.tif 000004
【図３】
2007190234.tif 000005
【図４】
2007190234.tif 000006
【図５】
2007190234.tif 000007
【図６】
2007190234.tif 000008
【図７】
2007190234.tif 000009
【図８】
2007190234.tif 000010
【図９】
2007190234.tif 000011
【図１０】
2007190234.tif 000012